(57)【要約】【課題】向上された発光効率を有する有機発光表示装置が提供される。【解決手段】有機発光表示装置は絶縁基板、前記絶縁基板上に配置される発光素子、及び前記発光素子と絶縁されるバランス電極を含む。ここで、前記発光素子は第１電極、前記第１電極に対向する第２電極、及び前記第１電極と前記第２電極との間に配置される有機膜を包含することができる。前記バランス電極は前記有機膜内の正孔−電子電荷バランスを合わせることができる。【選択図】図１
2014036019.tif 000002
【特許請求の範囲】
【請求項１】
絶縁基板と、
前記絶縁基板上に配置される第１電極、前記第１電極に対向する第２電極、及び前記第１電極と前記第２電極との間に配置される有機膜を含む発光素子と、
前記発光素子と絶縁され、前記有機膜内の正孔−電子電荷バランスを合わせるバランス電極と、を含む有機発光表示装置。
【請求項２】
前記絶縁基板及び前記発光素子の間に配置される絶縁膜をさらに含み、
前記バランス電極は前記絶縁基板及び前記絶縁膜の間に配置される請求項１に記載の有機発光表示装置。
【請求項３】
前記第１電極は第１電位を有し、前記第２電極は前記第１電位と異なる第２電位を有し、前記バランス電極は前記第１及び第２電位と異なる第３電位を有する請求項２に記載の有機発光表示装置。
【請求項４】
前記第３電位は前記第２電位より高い請求項３に記載の有機発光表示装置。
【請求項５】
前記発光素子上に配置される絶縁膜をさらに含み、
前記バランス電極は前記絶縁膜上に配置される請求項１に記載の有機発光表示装置。
【請求項６】
前記バランス電極はＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（ａｌｕｍｉｎｕｍ  Ｚｉｎｃ  Ｏｘｉｄｅ）、ＧＺＯ（ｇａｌｌｉｕｍ  ｄｏｐｅｄ  ｚｉｎｃ  ｏｘｉｄｅ）、ＺＴＯ（ｚｉｎｃ  ｔｉｎ  ｏｘｉｄｅ）、ＧＴＯ（Ｇａｌｌｉｕｍ  ｔｉｎ  ｏｘｉｄｅ）及びＦＴＯ（ｆｌｕｏｒｉｎｅ  ｄｏｐｅｄ  ｔｉｎ  ｏｘｉｄｅ）の中で少なくとも１つを含む請求項１に記載の有機発光表示装置。
【請求項７】
前記バランス電極はＡｕ、Ａｇ、Ｎｉ、Ｍｏ、ＭｏＷ、Ｃｒ、Ａｌ、ＡｌＮｄ及びＡｌ合金の中で少なくとも１つを含む請求項１に記載の有機発光表示装置。
【請求項８】
絶縁基板と、
前記絶縁基板上に配置される第１電極層、前記第１電極層に対向する第２電極層、及び前記第１電極層及び前記第２電極層の間に配置される有機膜を具備する発光素子と、を含み、
前記第１電極層及び前記第２電極層の中で１つは、
前記有機膜へ電荷を提供する電荷供給電極と、
前記電荷供給電極と離隔されて上に配置され、前記有機膜内の正孔−電子電荷バランスを合わせるバランス電極と、を含む有機発光表示装置。
【請求項９】
前記バランス電極を前記電荷供給電極及び前記有機膜と絶縁させる絶縁膜をさらに含む請求項８に記載の有機発光表示装置。
【請求項１０】
前記第１電極層が前記電荷供給電極及び前記バランス電極を含む請求項９に記載の有機発光表示装置。
【請求項１１】
前記電荷供給電極は第４電位を有し、前記第２電極層は前記第４電位と異なる第５電位を有し、前記バランス電極は前記第４及び第５電位と異なる第６電位を有する請求項１０に記載の有機発光表示装置。
【請求項１２】
前記第６電位は前記第５電位より高い請求項１１に記載の有機発光表示装置。
【請求項１３】
前記第２電極層が前記電荷供給電極及び前記バランス電極を含む請求項９に記載の有機発光表示装置。
【請求項１４】
前記バランス電極はＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（ａｌｕｍｉｎｕｍ  Ｚｉｎｃ  Ｏｘｉｄｅ）、ＧＺＯ（ｇａｌｌｉｕｍ  ｄｏｐｅｄ  ｚｉｎｃ  ｏｘｉｄｅ）、ＺＴＯ（ｚｉｎｃ  ｔｉｎ  ｏｘｉｄｅ）、ＧＴＯ（Ｇａｌｌｉｕｍ  ｔｉｎ  ｏｘｉｄｅ）及びＦＴＯ（ｆｌｕｏｒｉｎｅ  ｄｏｐｅｄ  ｔｉｎ  ｏｘｉｄｅ）の中で少なくとも１つを含む請求項８に記載の有機発光表示装置。
【請求項１５】
前記バランス電極はＡｕ、Ａｇ、Ｎｉ、Ｍｏ、ＭｏＷ、Ｃｒ、Ａｌ、ＡｌＮｄ及びＡｌ合金の中で少なくとも１つを含む請求項８に記載の有機発光表示装置。
【発明の詳細な説明】
【技術分野】
【０００１】
本発明は有機発光表示装置に関し、より詳細には発光効率が向上された有機発光表示装置に関する。
【背景技術】
【０００２】
有機発光表示装置はアノード電極及びカソード電極から各々正孔（ｈｏｌｅ）及び電子（ｅｌｅｃｔｒｏｎ）を有機膜へ注入させ、前記有機膜では注入された電子と正孔が再結合して励起子（ｅｘｃｉｔｏｎ）を生成する。前記励起子は励起状態（ｅｘｃｉｔｅｄ  ｓｔａｔｅ）から基底（ｇｒｏｕｎｄ）状態に落ちる時、放出されるエネルギーを光の形態に放出する。
【０００３】
一般的に前記正孔及び前記電子の運動性（ｍｏｂｉｌｉｔｙ）は差異があり、前記アノード電極から注入される前記正孔の運動性が非常に大きい。したがって、前記正孔と前記電子との運動性の差異によって、前記有機膜内の正孔−電子電荷バランス（ｈｏｌｅ−ｅｌｅｃｔｒｏｎ  ｃｈａｒｇｅ  ｂａｌａｎｃｅ）が崩れることがあり得る。前記電荷バランスが崩れれば、前記有機膜へ注入される総電荷量に比べて再結合する正孔−電子対が少なく、前記有機膜内で再結合できない電荷が存在することができる。したがって、前記有機発光表示装置の発光効率が低下され得る。
【先行技術文献】
【特許文献】
【０００４】
【特許文献１】韓国特許公開第１０−２００８−００６２３１０号公報
【発明の概要】
【発明が解決しようとする課題】
【０００５】
本発明の一目的は有機膜内の正孔−電子電荷バランスを合わせて発光効率が向上された有機発光表示装置を提供することにある。
【課題を解決するための手段】
【０００６】
上記課題を解決するために、本発明のある観点によれば、上述した本発明の一目的を達成するための有機発光表示装置は絶縁基板、前記絶縁基板上に配置される発光素子、及び前記発光素子と絶縁されるバランス電極を含む。ここで、前記発光素子は第１電極、前記第１電極に対向する第２電極、及び前記第１電極と前記第２電極との間に配置される有機膜を包含することができる。前記バランス電極は前記有機膜内の正孔−電子電荷バランスを合わせることができる。
【０００７】
前記絶縁基板及び前記発光素子の間に配置される絶縁膜をさらに含み、前記バランス電極は前記絶縁基板及び前記絶縁膜の間に配置され得る。ここで、前記第１電極は第１電位を有し、前記第２電極は前記第１電位と異なる第２電位を有し、前記バランス電極は前記第１及び第２電位と異なる第３電位を有し得、前記第３電位は前記第２電位より前記第１電位に近いことがあり得る。
【０００８】
前記発光素子上に配置される絶縁膜をさらに含み、前記バランス電極は前記絶縁膜上に配置され得る。ここで、前記第１電極は第１電位を有し、前記第２電極は前記第１電位と異なる第２電位を有し、前記バランス電極は前記第１及び第２電位と異なる第３電位を有し得、前記第３電位は前記第２電位より高いことがあり得る。
【０００９】
前記バランス電極はＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（ａｌｕｍｉｎｕｍ  Ｚｉｎｃ  Ｏｘｉｄｅ）、ＧＺＯ（ｇａｌｌｉｕｍ  ｄｏｐｅｄ  ｚｉｎｃ  ｏｘｉｄｅ）、ＺＴＯ（ｚｉｎｃ  ｔｉｎ  ｏｘｉｄｅ）、ＧＴＯ（Ｇａｌｌｉｕｍ  ｔｉｎ  ｏｘｉｄｅ）及びＦＴＯ（ｆｌｕｏｒｉｎｅ  ｄｏｐｅｄ  ｔｉｎ  ｏｘｉｄｅ）の中で少なくとも１つを包含することができる。
【００１０】
前記バランス電極はＡｕ、Ａｇ、Ｎｉ、Ｍｏ、ＭｏＷ、Ｃｒ、Ａｌ、ＡｌＮｄ及びＡｌ合金の中で少なくとも１つを包含することができる。
【００１１】
また、本発明の有機発光表示装置は絶縁基板、及び前記絶縁基板上に配置される第１電極層、前記第１電極層に対向する第２電極層、及び前記第１電極層及び前記第２電極層の間に配置される有機膜を具備する有機発光素子を含み、前記第１電極層及び前記第２電極層の中で１つは前記有機膜へ電荷を提供する電荷供給電極、及び前記電荷供給電極と離隔されて上に配置され、前記有機膜内の正孔−電子電荷バランスを合わせるバランス電極を包含することができる。
【００１２】
前記バランス電極を前記電荷供給電極及び前記有機膜と絶縁させる絶縁膜をさらに包含できる。
【００１３】
前記第１電極層が前記電荷供給電極及び前記バランス電極を包含することができる。ここで、前記電荷供給電極は第４電位を有し、前記第２電極層は前記第４電位と異なる第５電位を有し、前記バランス電極は前記第４及び第５電位と異なる第６電位を有し、前記第６電位は前記第５電位より高いことがあり得る。
【００１４】
前記第２電極層が前記電荷供給電極及び前記バランス電極を包含することもあり得る。
装置が提供される。
【発明の効果】
【００１５】
上述したような本発明の有機発光表示装置は有機膜内の正孔−電子電荷バランスを合わせることができる。したがって、前記有機膜へ注入される総電荷量に比例して前記正孔及び前記電子の再結合が発生して前記有機発光表示装置の発光効率が向上される。
【図面の簡単な説明】
【００１６】
【図１】本発明の一実施形態による有機発光表示装置を説明するための概念断面図である。
【図２】有機膜内で正孔−電子電荷バランスが不均一である場合の発光量を説明するための図面である。
【図３】有機膜内で正孔−電子電荷バランスが均一である場合の発光量を説明するための図面である。
【図４】本発明の他の実施形態による有機発光表示装置を説明するための概念断面図である。
【図５】本発明のその他の実施形態による有機発光表示装置を説明するための概念断面図である。
【図６】本発明のその他の実施形態による有機発光表示装置を説明するための概念断面図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
本発明は多様な変更を加えることができ、様々な形態を有することができるので、特定実施形態を図面に例示し、本文で詳細に説明する。しかし、これは本発明を特定な開示形態に対して限定しようとすることでなく、本発明の思想及び技術範囲に含まれる全て変更、均等物乃至代替物を含むこととして理解しなければならない。
【００１９】
各図面を説明しながら、類似な参照符号を類似な構成要素に対して使用した。添付された図面において、構造物の寸法は本発明を明確に説明するために実際より拡大して示したことである。第１、第２等の用語は多様な構成要素を説明するために使用されるが、構成要素は用語によって限定されない。前記用語は１つの構成要素を他の構成要素から区別する目的のみに使用される。例えば、本発明の権利範囲を逸脱しなく、第１構成要素は第２構成要素と称され得、類似に第２構成要素も第１構成要素と称され得る  単数の表現は文脈の上に明確に異なるように意味しない限り、複数の表現を含む。
【００２０】
本出願で、“包含”又は“有する”等の用語は明細書上に記載された特徴、数字、段階、動作、構成要素、部品又はこれらを組合したことが存在することを指定しようとすることであるが、１つ又はその以上の他の特徴や数字、段階、動作、構成要素、部分品又はこれらを組合したことの存在又は付加可能性を予め排除しないこととして理解しなければならない。また、層、膜、領域、板等の部分が他の部分“上に”あるとする場合、これは他の部分“直ちに上に”にある場合のみでなく、その中間にその他の部分がある場合も含む。反対に層、膜、領域、板等の部分が他の部分“下に”あるとする場合、これは他の部分“直ちに下に”にある場合のみでなく、その中間にその他の部分がある場合も含む。
【００２１】
以下、添付された図面を参照して本発明の望ましい実施形態をより詳細に説明する。
【００２２】
図１は本発明の一実施形態による有機発光表示装置を説明するための概念断面図であり、図２は有機膜内で正孔−電子電荷バランスが不均一である場合の発光量説明するための図面であり、図３は有機膜内で正孔−電子電荷バランスが均一である場合の発光量説明するための図面である。図２、図３では、カソード、有機発光膜、及びアノードをこの順序で積層した有機発光表示装置のカソード底面からの鉛直方向の距離と、充電密度、すなわち単位体積あたりの正孔（または電子）の数との相関関係を示す。実線は正孔を示し、破線は電子を示す。
【００２３】
図１乃至図３を参照すれば、有機発光表示装置は絶縁基板１００、前記絶縁基板１００上に配置される発光素子２００、及び前記絶縁基板１００と前記発光素子２００との間に配置され、前記発光素子２００と絶縁されるバランス電極３００を含む。
【００２４】
前記絶縁基板１００は透明な絶縁体からなされ得る。例えば、前記絶縁基板１００はガラス又は透明プラスチックのような高分子からなされるリジッドタイプ（ｒｉｇｉｄ  ｔｙｐｅ）の絶縁基板であり得る。ここで、前記絶縁基板１００がプラスチック基板からなされる場合、前記絶縁基板１００はポリエチレンテレフタレート（Ｐｏｌｙｅｔｈｙｌｅｎｅ  Ｔｅｒｅｐｈｔｈａｌａｔｅ：ＰＥＴ）、繊維強化プラスチック（ｆｉｂｅｒ  ｒｅｉｎｆｏｒｃｅｄ  ｐｌａｓｔｉｃ：ＦＲＰ）、又はポリエチレンナフタレート（Ｐｏｌｙｅｔｈｙｌｅｎｅ  Ｎａｐｈｔｈａｌａｔｅ：ＰＥＮ）等からなされ得る。また、前記絶縁基板１００は透明フレキシブルタイプ（ｆｌｅｘｉｂｌｅ  ｔｙｐｅ）の絶縁基板であり得る。
【００２５】
前記発光素子２００は前記絶縁基板１００上に配置される第１電極２１０、前記第１電極２１０に対向する第２電極２２０、及び前記第１電極２１０と前記第２電極２２０との間に配置される有機膜２３０を含む。
【００２６】
前記第１電極２１０及び前記第２電極２２０の中でいずれか１つはアノード電極であり、その他の１つはカソード電極であり得る。
【００２７】
また、前記第１電極２１０及び前記第２電極２２０の中で少なくとも１つは透過型電極であり得る。例えば、前記有機発光表示装置が背面発光形表示装置である場合、前記第１電極２１０は透過型電極であり、前記第２電極２２０は反射型電極であり得る。ここで、前記第１電極２１０はＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（ａｌｕｍｉｎｕｍ  Ｚｉｎｃ  Ｏｘｉｄｅ）、ＧＺＯ（ｇａｌｌｉｕｍ  ｄｏｐｅｄ  ｚｉｎｃ  ｏｘｉｄｅ）、ＺＴＯ（ｚｉｎｃ  ｔｉｎ  ｏｘｉｄｅ）、ＧＴＯ（Ｇａｌｌｉｕｍ  ｔｉｎ  ｏｘｉｄｅ）及びＦＴＯ（ｆｌｕｏｒｉｎｅ  ｄｏｐｅｄ  ｔｉｎ  ｏｘｉｄｅ）の中でいずれか１つの透明導電性酸化物を包含することができる。また、前記第２電極２２０は光反射が可能である物質を包含することができる。例えば、前記第２電極２２０はＭｏ、ＭｏＷ、Ｃｒ、Ａｌ、ＡｌＮｄ、及びＡｌ合金の中で少なくとも１つを包含することができる。
【００２８】
また、前記有機発光表示装置が前面発光形表示装置である場合、前記第１電極２１０は反射型電極であり、前記第２電極２２０は透過型電極であることもあり得る。また、前記有機発光表示装置が両面発光形表示装置である場合、前記第１電極２１０及び前記第２電極２２０は全て透過型電極であることもあり得る。
【００２９】
前記有機膜２３０は少なくとも発光層を含み、一般的に多層薄膜構造を有することができる。例えば、前記有機膜２３０は正孔を注入する正孔注入層（ｈｏｌｅ  ｉｎｊｅｃｔｉｏｎ  ｌａｙｅｒ：ＨＩＬ）、正孔の輸送性が優れ、前記発光層ＥＭＬで結合しなかった電子の移動を抑制して正孔と電子の再結合の機会を増加させるための正孔輸送層（ｈｏｌｅ  ｔｒａｎｓｐｏｒｔ  ｌａｙｅｒ：ＨＴＬ）、注入された電子と正孔の再結合によって、光を発する前記発光層ＥＭＬ、前記発光層ＥＭＬで結合しなかった正孔の移動を抑制するための正孔抑制層（ｈｏｌｅ  ｂｌｏｃｋｉｎｇ  ｌａｙｅｒ：ＨｂＬ）、  電子を前記発光層ＥＭＬへ円滑に輸送するための電子輸送層（ｅｌｅｃｔｒｏｎ  ｔｒａｎｓｐｏｒｔ  ｌａｙｅｒ：ＥＴＬ）、及び電子を注入する電子注入層（ｅｌｅｃｔｒｏｎ  ｉｎｊｅｃｔｉｏｎ  ｌａｙｅｒ：ＥＩＬ）を具備することができる。
【００３０】
前記有機膜２３０は低分子又は高分子有機物で具備され得る。前記有機膜２３０は低分子有機物で銅フタロシアニン（ＣｕＰｃ：ｃｏｐｐｅｒ  ｐｈｔｈａｌｏｃｙａｎｉｎｅ）、Ｎ、Ｎ−ジ（ナフタレン−１−イル）−Ｎ、Ｎ’−ジフェニル−ベンジジン（Ｎ、Ｎ’−Ｄｉ（ｎａｐｈｔｈａｌｅｎｅ−１−ｙｌ）−Ｎ、Ｎ’−ｄｉｐｈｅｎｙｌ−ｂｅｎｚｉｄｉｎｅ：ＮＰＢ）、及びトリス−８−ヒドロキシキノリンアルミニウム（ｔｒｉｓ−８−ｈｙｄｒｏｘｙｑｕｉｎｏｌｉｎｅ  ａｌｕｍｉｎｕｍ）（Ａｌｑ３）の中でいずれか１つを使用することができる。また、前記有機膜２３０は高分子有機物として、ポリエチレンジヒドロキシチオフェン（ＰＥＤＯＴ：ｐｏｌｙ−（２、４）−ｅｔｈｙｌｅｎｅ−ｄｉｈｙｄｒｏｘｙ  ｔｈｉｏｐｈｅｎｅ）及びポリアニリン（ＰＡＮＩ：ｐｏｌｙａｎｉｌｉｎｅ）の中でいずれか１つを使用することができる。
【００３１】
また、前記有機膜２３０の中で前記発光層に高分子有機物を使用する場合、前記発光層はＰＰＶ（ポリフェニレンビニレン）、Ｓｏｌｕｂｌｅ  ＰＰＶ’ｓ、ＣｙａｎｏＰＰＶ及びポリフルオレン（Ｐｏｌｙｆｌｕｏｒｅｎｅ）の中でいずれか１つを使用することができる。また、前記発光層は積層式（ｓｔａｃｋ  ｔｙｐｅ）又は直列式（Ｔａｎｄｅｍ  Ｔｙｐｅ）であり得る。前記積層式発光層は赤色、緑色、及び青色のサブ発光層で構成され得り、これらの積層順序は特別に限定されない。前記積層式発光層及び前記直列式発光層は前記赤色、緑色及び青色のサブ発光層が全て蛍光発光層であるか、或いは少なくとも１つ以上のサブ発光層が燐光（ｐｈｏｓｐｈｏｒｅｓｃｅｎｃｅ）発光層であり得る。また、前記直列式発光層はＣＧＬ（Ｃｈａｒｇｅ  Ｇｅｎｅｒａｔｉｏｎ  Ｌａｙｅｒ）を媒介で両側に積層される各発光層が白色、互に異なる色、又は同一の色に発光することができ、この時、互に異なる色又は同一の色は単色又は多色であり得る。
【００３２】
前記バランス電極３００は前記第１電極２１０及び前記第２電極２２０で前記有機膜２３０へ注入される電荷、即ち、電子及び正孔の電荷バランスを調整することができる。また、前記バランス電極３００は前記発光素子２００及び前記バランス電極３００の間に配置される絶縁膜３１０によって、前記発光素子２００と絶縁され得る。ここで、前記絶縁膜３１０は有機絶縁膜又は無機絶縁膜であり得る。
【００３３】
前記バランス電極３００は前記発光素子２００の発光形態にしたがってその構成が異なり得る。例えば、前記有機発光表示装置が背面発光形表示装置、又は両面発光形表示装置である場合、前記バランス電極３００は透過型電極であり得る。前記バランス電極３００はＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（ａｌｕｍｉｎｕｍ  Ｚｉｎｃ  Ｏｘｉｄｅ）、ＧＺＯ（ｇａｌｌｉｕｍ  ｄｏｐｅｄ  ｚｉｎｃ  ｏｘｉｄｅ）、ＺＴＯ（ｚｉｎｃ  ｔｉｎ  ｏｘｉｄｅ）、ＧＴＯ（Ｇａｌｌｉｕｍ  ｔｉｎ  ｏｘｉｄｅ）及びＦＴＯ（ｆｌｕｏｒｉｎｅ  ｄｏｐｅｄ  ｔｉｎ  ｏｘｉｄｅ）の中でいずれか１つの透明導電性酸化物を包含することができる。
【００３４】
また、前記有機発光表示装置が前面発光形表示装置である場合、前記バランス電極３００は光を反射させることができる。ここで、前記バランス電極３００は光反射度が優れたＡｕ、Ａｇ、Ｎｉ、Ｍｏ、ＭｏＷ、Ｃｒ、Ａｌ、ＡｌＮｄ及びＡｌ合金の中で少なくとも１つを包含することができる。
【００３５】
以下では前記有機発光表示装置の作動を説明する。ここでは、第１電極２１０がアノードであり、第２電極２２０がカソードとなっている。もちろん、第１電極２１０がカソードであり、第２電極２２０がアノードであってもよい。第１電極２１０がカソードとなり、第２電極２２０がアノードとなる場合、以下の説明において、第１電極２１０を第２電極２２０に読み替え、第２電極２２０を第１電極２１０に読み替えればよい。
【００３６】
先ず、前記第１電極２１０及び前記第２電極２２０の間に電源（電圧）が印加されれば、前記第１電極２１０及び前記第２電極２２０の間には電位差が発生する。例えば、前記第１電極２１０は第１電位を有し、前記第２電極２２０は前記第１電位と異なる第２電位を有し得、前記第１電極２１０及び前記第２電極２２０の間の電位差（第１電位−第２電位）は第１電圧Ｖ１として定義され得る。前記第１電極２１０及び前記第２電極２２０の間に前記第１電圧Ｖ１の電位差が発生すれば、前記第１電極２１０を通じて前記有機膜２３０へ前記正孔が注入され、前記第２電極２２０を通じて前記有機膜２３０へ前記電子が注入され得る。前記有機膜２３０へ注入された前記正孔及び前記電子は前記有機膜２３０内で再結合して励起子（ｅｘｃｉｔｏｎ）を生成する。前記励起子は励起状態（ｅｘｃｉｔｅｄ  ｓｔａｔｅ）から基底（ｇｒｏｕｎｄ）状態に落ちる時、放出されるエネルギーを光の形態に放出する。ここで、前記正孔及び前記電子の中で一般的に前記正孔の運動性が大きい。したがって、図２に示したように、前記有機膜２３０で、前記正孔が前記電子に比べてより多い量が存在するようになり、前記正孔及び前記電子が再結合される領域は前記第２電極２２０に隣接するようになる。
【００３７】
また、前記有機膜２３０内で、前記正孔が前記電子より多く存在するようになれば、一部正孔は前記電子と結合しない。したがって、前記有機発光表示装置は前記有機膜２３０へ注入される総電荷注入量に比べて再結合される電荷の量が少ないので、発光効率が低下され得る。したがって、前記正孔及び前記電子の注入量を調節して前記有機膜２３０内で前記正孔−電子電荷バランスを合わせる必要がある。
【００３８】
一方、前記正孔−電子電荷バランスを合わせるために前記バランス電極３００へ電圧を印加すれば、前記バランス電極３００は前記第１及び第２電位と異なる第３電位を有することができる。したがって、前記第１電極２１０及び前記バランス電極３００の間には第２電圧Ｖ２の電位差（第１電位−第３電位）が発生し、前記第２電極２２０及び前記バランス電極３００の間には第３電圧Ｖ３の電位差（第３電位−第２電位）が発生する。ここで、前記第１電極２１０から前記有機膜２３０へ注入される前記正孔の注入量は前記第１電圧Ｖ１及び前記第２電圧Ｖ２の合計に比例する。また、前記第２電極２２０から前記有機膜２３０へ注入される前記電子の注入量は前記第１電圧Ｖ１及び前記第３電圧Ｖ３の合計に比例する。
【００３９】
したがって、前記バランス電極３００の前記第３電位が前記第２電極２２０の前記第２電位より高い場合、前記第１電極２１０から前記有機膜２３０へ注入される前記正孔の注入量は減少し、前記第２電極２２０から前記有機膜２３０へ注入される前記電子の注入量は増加する。また、前記バランス電極３００の前記第３電位が前記第２電極２２０の前記第２電位より低い場合、前記第１電極２１０から前記有機膜２３０へ注入される前記正孔の注入量は増加し、前記第２電極２２０から前記有機膜２３０へ注入される前記電子の注入量は減少する。
【００４０】
したがって、前記バランス電極３００の前記第３電位が前記第２電極２２０の前記第２電位より高くなるように第３電位を調整することで、図３に示したように、前記有機膜２３０内の前記正孔−電子電荷バランスを合わせることができる。したがって、前記有機発光表示装置は前記有機膜２３０へ注入される総電荷注入量に比例して前記正孔及び前記電子が再結合されるので、発光効率が向上され得る。
【００４１】
以下、図４乃至図６を通じて本発明の他の実施形態を説明する。図４乃至図６において、図１乃至図３に図示された構成要素と同一な構成要素に対する具体的な説明は省略する。また、図４乃至図６では重複された説明を避けるために図１乃至図３と異なる点を主に説明する。
【００４２】
図４は本発明の他の実施形態による有機発光表示装置を説明するための概念断面図である。
【００４３】
図４を参照すれば、有機発光表示装置は絶縁基板１００’、前記絶縁基板１００’上に配置される発光素子２００’、前記発光素子２００’上に具備される絶縁膜３１０’、及び前記発光素子２００’上に配置され、前記絶縁膜３１０’によって前記発光素子２００’と絶縁されるバランス電極３００’を含む。
【００４４】
前記発光素子２００’は前記絶縁基板１００’上に配置される第１電極２１０’、前記第１電極２１０’に対向する第２電極２２０’、及び前記第１電極２１０’と前記第２電極２２０’との間に配置される有機膜２３０’を包含することができる。
【００４５】
前記有機発光表示装置は前記バランス電極３００’へ印加される電圧を調節して、前記有機膜２３０’内へ注入される電子の量を増加させて、前記有機膜２３０’内の前記正孔−電子電荷バランスを合わせることができる。したがって、前記有機発光表示装置は前記有機膜２３０’へ注入される総電荷注入量に比例して前記正孔及び前記電子が再結合されるので、発光効率が向上され得る。具体的な調整方法は図３に示した例と同様である。
【００４６】
図５は本発明のその他の実施形態による有機発光表示装置を説明するための概念断面図である。
【００４７】
図５を参照すれば、有機発光表示装置は絶縁基板４００、及び前記絶縁基板４００上に配置される発光素子５００を含む。
【００４８】
前記発光素子５００は前記絶縁基板４００上に配置される第１電極層５１０、前記第１電極層５１０に対向する第２電極層５２０、及び前記第１電極層５１０と前記第２電極層５２０との間に配置される有機膜５３０を含む。
【００４９】
前記第１電極層５１０は前記有機膜５３０へ電荷、例えば、正孔を提供する電荷供給電極５１１、前記電荷供給電極５１１と同一平面上に配置されるバランス電極５１２、及び前記バランス電極５１２をカバーする絶縁層５１３を含む。
【００５０】
前記電荷供給電極５１１及び前記第２電極層５２０の中でいずれか１つはアノード電極であり、その他の１つはカソード電極であり得る。また、前記電荷供給電極５１１及び前記第２電極層５２０の中で少なくとも１つは透過型電極であり得る。
【００５１】
前記バランス電極５１２は前記電荷供給電極５１１及び前記第２電極層５２０から前記有機膜５３０へ注入される電荷、即ち、電子−正孔電荷バランスを調整することができる。また、前記バランス電極５１２は前記電荷供給電極５１１と一定の間隔離隔されて配置され、前記絶縁膜５１３が前記バランス電極５１２をカバーする。したがって、前記バランス電極５１２は前記電荷供給電極５１１及び前記有機膜５３０と絶縁され得る。
【００５２】
前記バランス電極５１２は前記有機発光表示装置の発光形態にしたがって、その構成が異なり得る。例えば、前記有機発光表示装置が背面発光形表示装置、又は両面発光形表示装置である場合、前記バランス電極５１２は透過型電極であり得る。また、前記有機発光表示装置が前面発光形表示装置である場合、前記バランス電極５１２は光を反射させることができる。
【００５３】
前記第２電極層５２０は導電膜からなされて、前記電荷供給電極５１１から前記有機膜５３０へ提供する電荷と反対になる極性の電荷、例えば、電子を前記有機膜５３０へ提供することができる。
【００５４】
以下では前記有機発光表示装置の作動を説明する。ここでは、電荷供給電極５１１がアノードであり、第２電極層５２０がカソードとなっている。もちろん、電荷供給電極５１１がカソードであり、第２電極層５２０がアノードであってもよい。電荷供給電極５１１がカソードとなり、第２電極層５２０がアノードとなる場合、以下の説明において、電荷供給電極５１１を第２電極層５２０に読み替え、第２電極層５２０を電荷供給電極５１１に読み替えればよい。
【００５５】
先ず、前記電荷供給電極５１１、前記第２電極層５２０、及び前記バランス電極５１２へ電源が印加されれば、前記電荷供給電極５１１は第４電位を有し、前記第２電極層５２０は第５電位を有し、前記バランス電極５１２は第６電位を有することができる。ここで、前記電荷供給電極５１１及び前記第２電極層５２０の間の電位差（第４電位−第５電位）は第４電圧Ｖ４として定義され、前記電荷供給電極５１１及び前記バランス電極５１２の間の電位差（第４電位−第６電位）は第５電圧Ｖ５として定義され、前記第２電極層５２０及び前記バランス電極５１２の間の電位差（第６電位−第５電位）は第６電圧Ｖ６として定義され得る。
【００５６】
ここで、前記電荷供給電極５１１から前記有機膜５３０’へ注入される前記正孔の注入量は前記第４電圧Ｖ４及び前記第５電圧Ｖ５の合計に比例する。また、前記第２電極層５２０から前記有機膜５３０へ注入される前記電子の注入量は前記第４電圧Ｖ４及び前記第６電圧Ｖ６の合計に比例する。
【００５７】
したがって、前記バランス電極５１２の前記第６電位が前記第２電極層５２０の前記第５電位より高い場合、前記電荷供給電極５１１から前記有機膜５３０へ注入される前記正孔の注入量は減少し、前記第２電極層５２０から前記有機膜５３０へ注入される前記電子の注入量は増加する。また、前記バランス電極５１２の前記第６電位が前記第２電極層５２０の前記第５電位より低い場合、前記電荷供給電極５１１から前記有機膜５３０へ注入される前記正孔の注入量は増加し、前記第２電極層５２０から前記有機膜５３０へ注入される前記電子の注入量は減少する。
【００５８】
したがって、前記バランス電極５１２の前記第６電位が前記第２電極層５２０の前記第５電位より高くなるよう第６電位を調整することで、前記有機膜５３０内の前記正孔−電子電荷バランスを合わせることができる。したがって、前記有機発光表示装置は前記有機膜５３０へ注入される総電荷注入量に比例して前記正孔及び前記電子が再結合されるので、発光効率が向上され得る。
【００５９】
図６は本発明のその他の実施形態による有機発光表示装置を説明するための概念断面図である。
【００６０】
図６を参照すれば、有機発光表示装置は絶縁基板４００’、及び前記絶縁基板４００’上に配置される発光素子５００’を含む。
【００６１】
前記発光素子５００’は前記絶縁基板４００’上に配置される第１電極層５１０’、前記第１電極層５１０’に対向する第２電極層５２０’、及び前記第１電極層５１０’と前記第２電極層５２０’との間に配置される有機膜５３０’を含む。
【００６２】
前記第１電極層５１０’は導電膜からなされて、前記有機膜５３０’へ電荷、例えば、正孔を提供することができる。
【００６３】
前記第２電極層５２０’は電荷供給電極５２１、及び前記電荷供給電極５２１と同一平面上に配置されるバランス電極５２２を含む。ここで、前記電荷供給電極５２１は前記第１電極層５１０’から前記有機膜５３０’に提供する電荷と反対になる極性の電荷、例えば、電子を前記有機膜５３０’へ提供することができる。
【００６４】
前記バランス電極５２２は絶縁膜５２３によって、前記電荷供給電極５２１及び前記有機膜５３０’と絶縁され得る。
【００６５】
前記有機発光表示装置は前記バランス電極５２２へ印加される電源を調節して、前記有機膜５３０’内へ注入される電子の量を増加させて、前記有機膜５３０’内の前記正孔−電子電荷バランスを合わせることができる。したがって、前記有機発光表示装置は前記有機膜５３０’へ注入される総電荷注入量に比例して前記正孔及び前記電子が再結合されるので、発光効率が向上され得る。
【００６６】
以上の詳細な説明は本発明を例示し、説明することである。また、前述した内容は本発明の望ましい実施形態を示し、説明することに過ぎないし、前述したように本発明は多様な他の組合、変更、及び環境で使用でき、本明細書に開示された発明の概念の範囲、前述した開示内容と均等な範囲及び／又は当業界の技術又は知識の範囲内で変更又は修正が可能である。したがって、以上の発明の詳細な説明は開示された実施状態に本発明を制限しようとすることでない。また、添付された請求の範囲は他の実施状態も含むこととして解釈されなければならない。
【符号の説明】
【００６７】
１００、１００’、  ４００、４００’・・・絶縁基板
２００、２００’、  ５００、５００’・・・発光素子
２１０、２１０’・・・第１電極
２２０、２２０’・・・第２電極
２３０、２３０’、  ５３０、５３０’・・・有機膜
３００、３００’、  ５１２、５１２’・・・バランス電極
３１０、３１０’、  ５１３、５１３’・・・絶縁膜
５１０、５１０’・・・第１電極層
５１１、５２１’・・・電荷供給電極
５２０、５２０’・・・第２電極層
【図１】
2014036019.tif 000003
【図２】
2014036019.tif 000004
【図３】
2014036019.tif 000005
【図４】
2014036019.tif 000006
【図５】
2014036019.tif 000007
【図６】
2014036019.tif 000008